(57)【要約】【課題】改札通路２が自動改札機３または壁に挟まれて構成される自動改札１に適用することができ、自動改札１を通過する人の衣類や頭髪に付着した付着物を除去する自動改札用エアシャワー装置を提供する。【解決手段】改札通路２の入口及び出口の左右に設置される複数の支柱１６、１８と、改札通路２の両側方にあって、前後の同じ側にある２本の支柱との間に配設されて側面を構成して透過性を有する仕切板２０、２０と、各仕切板２０に沿って互いに前後に間隔をあけて配設され、仕切板に沿ったダクトを構成する複数のパイプ２２と、前記ダクトに連通して、仕切板２０に形成された吹き出し口２０ａと、仕切板２０の上方に設けられて、送風機及び該送風機の排出口と前記ダクトとを連通する排出管とを内蔵する上部ユニット２４と、を備える。【選択図】図１
2011008359.tif 000002
【特許請求の範囲】
【請求項１】
改札通路が自動改札機または壁に挟まれて構成される自動改札に設定される自動改札用エアシャワー装置であって、
改札通路の入口及び出口の左右に設置される複数の支柱と、
改札通路の両側方にあって、前後の同じ側にある２本の支柱との間に配設されて側面を構成して透過性を有する仕切板と、
各仕切板に沿って互いに前後に間隔をあけて配設され、仕切板に沿ったダクトを構成する複数のパイプと、
前記ダクトに連通して、仕切板に形成された吹き出し口と、
仕切板の上方に設けられて、送風機及び該送風機の排出口と前記ダクトとを連通する排出管とを内蔵する上部ユニットと、
を備えた自動改札用エアシャワー装置。
【請求項２】
前記入口側または前記出口側の支柱には吹き出し口が形成されており、該支柱内にはダクトが構成され、上部ユニット内には、該支柱内のダクトと送風機の排出口とを連通する排気管が内蔵されることを特徴とする請求項１記載の自動改札用エアシャワー装置。
【請求項３】
前記入口側または前記出口側の支柱には吸い込み口が形成されており、該支柱内にはダクトが構成され、前記上部ユニット内には、該支柱内のダクトと送風機の給気口とを連通する給気管が内蔵されることを特徴とする請求項１または２記載の自動改札用エアシャワー装置。
【請求項４】
前記吸い込み口には、筒形状のフィルタが吸い込み口において回転自在に軸支されることを特徴とする請求項３記載の自動改札用エアシャワー装置。
【請求項５】
前記パイプは、仕切板に着脱可能に取り付けられて、仕切板と共にダクトを構成することを特徴とする請求項１ないし４のいずれか１項に記載の自動改札用エアシャワー装置。
【請求項６】
前記パイプにはその両端にフランジが形成されており、該フランジが仕切板に設けられたレール部に嵌め込まれることで、パイプが仕切板に取り付けられることを特徴とする請求項５記載の自動改札用エアシャワー装置。
【請求項７】
前記支柱、仕切板、パイプ及び上部ユニットはそれぞれ分解可能であり、上部ユニットの底板には、支柱、仕切板及びパイプの上端を受ける受部が形成されることを特徴とする請求項１ないし６のいずれか１項に記載の自動改札用エアシャワー装置。
【発明の詳細な説明】
【技術分野】
【０００１】
本発明は、自動改札に適用することができ、自動改札を通過する通行人の衣類や頭髪に付着した花粉等のアレルゲン、ウィルス等の付着物を除去する自動改札用エアシャワー装置に関する。
【背景技術】
【０００２】
従来、仕切られた空間の出入り口に設置されて衣類や頭髪に付着した付着物を除去するエアシャワー装置は多数提案されている。
【０００３】
例えば、特許文献１のエアシャワー装置では、装置のドアを不要とするもので、シャワー室となる空間を第１の側面及び第２の側面と天井面とから囲むよう門型に形成された筺体と、筺体内に格納された送風機およびフィルタを備え、第１の側面に配設された第１の空気吹き出し口と第２の側面に配設された第２の空気吹き出し口と天井面に配設された第３の空気吹き出し口とを有し、第１の側面に配設された第１の空気吸い込み口と第２の側面に配設された第２の空気吸い込み口とを有している。そして、第１〜第３の空気吹き出し口はフィルタに連通して浄化された空気をシャワー室に供給しており、筺体内に形成された空気環流路を介して第１の空気吸い込み口および第２の空気吸い込み口は送風機の吸い込み口に連通するように構成されている。
【０００４】
また、特許文献２のエアシャワー装置は、建物に入る前に身体に付着した花粉等の付着塵を除去して居室内を清浄に保つことを目的としたもので、送風ユニット、排気ユニット、天板ユニットに分割して運搬することができ、これらのユニットが組み立て及び分解可能に構成されている。
【先行技術文献】
【特許文献】
【０００５】
【特許文献１】特開２０００−１８９９１５号公報
【特許文献２】特開２００８−１８０４９０号公報
【発明の概要】
【発明が解決しようとする課題】
【０００６】
しかしながら、従来提案されているエアシャワー装置は仕切られた空間の出入り口に設置されるためにゲート型をしているものの、入出場の監視をする必要性などから見通しの良いことが必要とされる自動改札には適用することができないという問題がある。また、両側にエアチャンバーを構成するための空間を必要としているために、通行するための幅が狭い自動改札には適用することが困難であるという問題がある。
【０００７】
本発明はかかる課題に鑑みなされたもので、自動改札に適用することができ、自動改札を通過する人の衣類や頭髪に付着した付着物を除去する自動改札用エアシャワー装置を提供することを目的とする。
【課題を解決するための手段】
【０００８】
上記目的を達成するために、本発明の請求項１記載の発明は、改札通路が自動改札機または壁に挟まれて構成される自動改札に設定される自動改札用エアシャワー装置であって、
改札通路の入口及び出口の左右に設置される複数の支柱と、
改札通路の両側方にあって、前後の同じ側にある２本の支柱との間に配設されて側面を構成して透過性を有する仕切板と、
各仕切板に沿って互いに前後に間隔をあけて配設され、仕切板に沿ったダクトを構成する複数のパイプと、
前記ダクトに連通して、仕切板に形成された吹き出し口と、
仕切板の上方に設けられて、送風機及び該送風機の排出口と前記ダクトとを連通する排出管とを内蔵する上部ユニットと、
を備えた自動改札用エアシャワー装置である。
【０００９】
請求項２記載の発明は、請求項１記載のものにおいて、前記入口側または前記出口側の支柱には吹き出し口が形成されており、該支柱内にはダクトが構成され、上部ユニット内には、該支柱内のダクトと送風機の排出口とを連通する排気管が内蔵されることを特徴とする。
【００１０】
請求項３記載の発明は、請求項１または２記載のものにおいて、前記入口側または前記出口側の支柱には吸い込み口が形成されており、該支柱内にはダクトが構成され、前記上部ユニット内には、該支柱内のダクトと送風機の給気口とを連通する給気管が内蔵されることを特徴とする。
【００１１】
請求項４記載の発明は、請求項３記載のものにおいて、前記吸い込み口には、筒形状のフィルタが吸い込み口において回転自在に軸支されることを特徴とする。
【００１２】
請求項５記載の発明は、請求項１ないし４のいずれか１項に記載のものにおいて、前記パイプは、仕切板に着脱可能に取り付けられて、仕切板と共にダクトを構成することを特徴とする。
【００１３】
請求項６記載の発明は、請求項５記載のものにおいて、前記パイプにはその両端にフランジが形成されており、該フランジが仕切板に設けられたレール部に嵌め込まれることで、パイプが仕切板に取り付けられることを特徴とする。
【００１４】
請求項７記載の発明は、請求項１ないし６のいずれか１項に記載のものにおいて、前記支柱、仕切板、パイプ及び上部ユニットはそれぞれ分解可能であり、上部ユニットの底板には、支柱、仕切板及びパイプの上端を受ける受部が形成されることを特徴とする。
【発明の効果】
【００１５】
本発明によれば、送風機、排出管及びパイプによって構成されるダクトを介して仕切板に形成された吹き出し口からエアが吹き出されることによって、改札通路を通過する通行人に付着した付着物を除去することができる。通行人は立ち留まることなく次々とエアを受けながら、改札通路を通過することができる。
【００１６】
改札通路の両側にエアチャンバーを設けることなく、仕切板を配設しているために、嵩張ることなく、隣の自動改札に邪魔になることなく、配設することができる。また、仕切板に透過性があるために、全体の見栄えも良好にすることができ、入出場の視認による監視も可能である。
さらには、仕切板が汚れても簡単に清掃することができる。
【００１７】
請求項２記載の発明によれば、入口側または出口側の支柱から送風機からのエアを吹き出すことで、入口側または出口側にエアカーテンを生成することができて、エアカーテンによって、通行人から吹き飛ばされた付着物が入口側または出口側に拡散することを防止することができる。
【００１８】
請求項３記載の発明によれば、入口側または出口側の支柱の吸い込み口から吸い込んだエアを給気管を介して上部ユニット内の送風機へと供給して、使用することができる。
【００１９】
請求項４記載の発明によれば、フィルタによって付着物を捕捉すると共に付着物を除去した後のエアを、給気管を介して送風機に送り再利用することができる。フィルタが汚れた場合には、フィルタを回転して、汚れていない面を外部に露出させることで、長期間にわたり同じフィルタを使用することができる。
【００２０】
請求項５記載の発明によれば、パイプが着脱可能であるため簡単に組み立てることができると共に、パイプ内が汚れた場合には、取り外して簡単に清掃、交換をすることができる。
【００２１】
請求項６記載の発明によれば、パイプの着脱作業を簡単に行うことができる。
【００２２】
請求項７記載の発明によれば、支柱、仕切板及びパイプの上端を上部ユニットの底板に形成された受部で受けることで、容易に組立可能に構成することができる。
【図面の簡単な説明】
【００２３】
【図１】本発明の実施形態に係る自動改札用エアシャワー装置の出口方向から見た図である。
【図２】図１の自動改札用エアシャワー装置の改札通路から見た側面図である。
【図３】図１の自動改札用エアシャワー装置の上部ユニットの内部を示す平面図である。
【図４】図２の４−４線に沿って見た部分拡大断面図である。
【図５】図２の５−５線に沿って見た部分拡大断面図である。
【図６】図１の自動改札用エアシャワー装置の上部ユニットの底板を下方から見た図である。
【図７】図１の自動改札用エアシャワー装置のブロック図である。
【発明を実施するための最良の形態】
【００２４】
以下、図面を用いて本発明の実施の形態を説明する。
図１〜図３は、本発明による自動改札用エアシャワー装置を表す図である。
【００２５】
図において、１は鉄道の駅やその他、任意の種類の入場、出場を規制する自動改札であり、その自動改札１の少なくとも一部に、本発明による自動改札用エアシャワー装置１０が設定されている。
【００２６】
図示の例の自動改札１は、双通行タイプが複数並設されており、１つの改札通路２が２つの逆向きに置かれた自動改札機３に挟まれて構成されている。しかしながら、自動改札１は一方通行タイプとすることもでき、その場合でも、原則的に自動改札１は、１つの改札通路２が２つの同じ向きにまたは逆向きに置かれた自動改札機３に挟まれて構成される。または、自動改札１の数が少ない場合、自動改札１が端にある場合には、１つの改札通路２が１つの自動改札機３と壁とに挟まれて構成されることもある。
【００２７】
今、説明の便宜上、出場する際の改札通路２の手前側を入口（前側）、遠方側を出口（後側）とする。
【００２８】
自動改札用エアシャワー装置１０は、大まかに、改札通路２の入口の左右に設置される一対の支柱１２、１４と、改札通路２の出口の左右に設置される一対の支柱１６、１８と、前後の同じ側にある２本の支柱１２と１６との間及び１４と１８との間に配設されて、側面を構成する一対の仕切板２０、２０と、各仕切板２０、２０に沿って互いに前後に間隔をあけて配設される複数のパイプ２２、２２と、支柱１２〜１８によって支持されて、仕切板２０、２０よりも上方に配設される上部ユニット２４と、を備えている。
【００２９】
支柱１２〜１８は、自動改札機３とほぼ整列するようにして、床面にアンカーにて固定され、鋼等の金属材料から構成される角筒または円筒形状をなしており、その内部は、空洞となっておりダクトを構成する。
【００３０】
入口の左右の支柱１２、１４のそれぞれの対向する側面には上下方向に延びる吸い込み口１２ａ、１４ａが形成されており、吸い込み口１２ａ、１４ａには、図５に示すように、フィルタ３０が配設される。フィルタ３０は、任意の形状とすることができるが、好ましくは、円筒形状のような筒形状をなしており、その上下方向を中心軸として回転自在となるように吸い込み口１２ａ、１４ａにおいて着脱可能に軸支される。そして、フィルタ３０はその略半分が吸い込み口１２ａ、１４ａ外に、残りの略半分が吸い込み口１２ａ、１４ａ内に配設され、少なくともフィルタ３０の一部が外部に臨んでいる。吸い込み口１２ａ、１４ａの縁部にはパッキン３２が取り付けられており、パッキン３２とフィルタ３０とが密着して、フィルタ３０は吸い込み口１２ａ、１４ａのほぼ全体を塞ぐようになっている。また、円筒形状のフィルタ３０の内部は、支柱１２、１４のダクトに連通している。
【００３１】
出口の左右の支柱１６、１８のそれぞれの対向する側面には、上下方向に延びる吹き出し口１６ａ、１８ａ（図示せず）が形成される。
【００３２】
各仕切板２０は、例えばガラス材料、または好ましくはポリカーボネート樹脂等の合成樹脂材料製の透明または半透明な材料から構成される板材であり、透過性を有する。各仕切板２０は、自動改札機３とほぼ整列するようにし、且つ自動改札機３の上方に配設される。自動改札機３での通行者の作業、即ち、切符、定期、入場券となるカードの出し入れ、カードのデータの読み書き作業の邪魔にならないように、仕切板２０は、カードの出し入れ、カード読み書き部から十分に離反した位置に配設される。
【００３３】
図４に示すように、各仕切板２０には、パイプ２２の配設される各位置にあわせて、上下方向に延びる一対のレール材３４が前後方向に間隔をあけてそれぞれ取り付けられており、各一対のレール材３４に挟まれた部分の上下方向に複数個所に吹き出し口２０ａが形成されている。各吹き出し口２０ａには、噴射ノズル３６が配設される。
【００３４】
パイプ２２は、軟質塩化ビニル樹脂等の合成樹脂製の材料からなり、その横断面は、両端にフランジ２２ａ、２２ａが形成された略ハット形状または略Ω形状となっており、パイプ下端は閉塞されている。各フランジ２２ａ、２２ａが、各レール材３４によって形成されるレール溝に嵌め込まれることで、パイプ２２が仕切板２０に取り付けられる。そして、仕切板２０とパイプ２２とによってダクトを構成する。パイプ２２の上下位置は、レール材３４によってパイプ２２の下端位置が規制されることによって、決定することができる。
【００３５】
上部ユニット２４は、例えば鋼等の金属材料から構成され、ボックス形状をなしている。そして、その内部には、図３及び図７に示したように、送風機４０と、送風機４０の排気口に連結されるＨＥＰＡフィルタ４２と、送風機４０の給気口に連結される給気管４３と、ＨＥＰＡフィルタ４２に連結される排気管４４と、排気管４４の各分岐管４４ａの途中に設けられる流量調整弁４６と、を備える。
【００３６】
さらに、上部ユニット２４の底板２４ａの左右方向中央部、即ち改札通路２中心の上方には、前後に間隔をあけて複数の吹き出し口２４ｂが形成されており、各吹き出し口２４ｂには、噴射ノズル３６が配設される。
【００３７】
上部ユニット２４の底板２４ａには、図６に示すように、支柱１２〜１８、仕切板２０、パイプ２２の上端を受ける凹部２４ｃ、２４ｄ、２４ｅが形成されると共に、凹部２４ｃ、２４ｅ内には、底板２４ａを貫通する貫通孔２４ｆ、２４ｇが形成されている。貫通孔２４ｆは支柱１２〜１８の内部のダクトに連通し、貫通孔２４ｇは仕切板２０とパイプ２２とによって構成されるダクトに連通する。
【００３８】
図３に示したように、給気管４３は、前記支柱１２、１４の内部のダクトに連通する貫通孔２４ｆに連結される。また、給気管４３の途中には、上部ユニット２４の上方の開放空間の外気を取り込む上部吸い込み口５０が設けられている。
【００３９】
排気管４４は、途中から複数の分岐管４４ａに分岐されており、一部の分岐管４４ａの遠位端は、前記支柱１６、１８の内部のダクトに連通する貫通孔２４ｆに連結される。また、別の分岐管４４ａの遠位端は、パイプ２２と仕切板２０との間に形成されたダクトに連通する貫通孔２４ｇに連結される。さらに別の分岐管４４ａの遠位端は、吹き出し口２４ｂに連結される。
【００４０】
以上に説明した自動改札用エアシャワー装置１０は、容易に分解可能且つ組立可能に構成することができる。具体的には、支柱１２〜１８、仕切板２０、ダクト２２、上部ユニット２４は容易に互いに分解可能となっており、または組立可能となっている。即ち、仕切板２０、ダクト２２、支柱１２〜１８の上端を、上部ユニット２４の底板２４ａの凹部２４ｃ、２４ｄ、２４ｅに嵌め入れることでこれらの位置決めがなされ、互いに結合具によって連結することで、互いに固定することができる。
【００４１】
以上のように構成される自動改札用エアシャワー装置１０においては、送風機４０の稼働により、支柱１２、１４の吸い込み口１２ａ、１４ａからフィルタ３０を通過し、支柱１２、１４内のダクト及び給気管４３を通り、または上部吸い込み口５０から給気管４３を通り、送風機４０へのエアの流れが生成される。
【００４２】
さらに、送風機４０からＨＥＰＡフィルタ４２、排気管４４及び仕切板２０とパイプ２２との間に形成されたダクトを通り、または、排気管４４を通り噴射ノズル３６から吹き出されるエアの流れが生成される。改札通路を通過する通行人の側方及び上方からエアが吹き出されるために、通行人の衣類や頭髪に付着した花粉等のアレルゲン、ウィルス等の付着物を吹き飛ばすことができる。噴射ノズル３６から噴出されるエア量は、流量調整弁４６によって、それぞれ個別に調整することができる。
【００４３】
また、送風機４０からＨＥＰＡフィルタ４２、排気管４４及び支柱１６、１８内のダクトを通り吹き出し口１６ａ、１８ａから吹き出すエアの流れが生成される。吹き出し口１６ａ、１８ａは、互いに対向する方向へとエアを水平方向に吹き出すことで、改札通路の出口付近において、エアカーテンを生成する。これにより、通行人から吹き飛ばされた付着物は、エアカーテンによって出口側に拡散することが防止される。
【００４４】
その一方で、入口側の支柱１２、１４の吸い込み口１２ａ、１４ａにはフィルタ３０が設けられるので、このフィルタ３０によって付着物を捕捉すると共に付着物を除去した後のエアを、給気管４３を介して送風機４０に送り再利用することができる。
【００４５】
この自動改札用エアシャワー装置１０によって、出場側に花粉等のアレルゲン、ウィルス等の付着物が運ばれることを抑制することができる。
【００４６】
仕切板２０に前後及び上下に間隔をあけて配設される噴射ノズル３６からエアが吹き出されることによって、通行人は立ち留まることなく次々とエアを受けながら、改札通路を通過することができる。
【００４７】
自動改札１においては、改札業務自体は機械化されているものの、改札としての機能上監視等の観点からなるべく見通しが良いことが望ましい。本実施形態による自動改札用エアシャワー装置１０は、仕切板２０が透過性を有しているために、改札通路内が遮蔽されずに、良好な見通しを維持することができる。
【００４８】
改札通路の両側にエアチャンバーを設けることなく、平坦な仕切板２０、２０を配設しているために、嵩張ることなく、隣の自動改札１が邪魔になることなく、配設することができる。そして、全体の見栄えも良好にすることができる。図示した例では、隣の自動改札１には自動改札用エアシャワー装置１０は設定されていないが、各自動改札１に自動改札用エアシャワー装置１０を設定することも可能である。
【００４９】
また、エアチャンバーを設ける代わりに、各分岐路４４ａに流量調整弁４６を設けることで、各噴射ノズル３６から噴射されるエア流量を簡単に調整することができる。
【００５０】
また、使用期間が長くなると汚れが発生するが、仕切板２０は平坦な板であるために、その清掃が容易である。また、パイプ２２も仕切板２０から取り外して、清掃または交換をすることができる。
【００５１】
また、使用期間が長くなるとフィルタ３０も汚れるが、フィルタ３０は吸い込み口１２ａ、１４ａにおいて回転自在に軸支されているため、適宜角度、フィルタ３０を回転して、汚れていない面を外部に露出させることで、長期間にわたり同じフィルタ３０を使用することができる。フィルタ３０の全周面が汚れた場合に、フィルタ３０を交換すればよい。
【００５２】
以上の例では、出場する際の改札通路２の遠方側（双方通行タイプの場合には入場する際の改札通路２の手前側でもある）にエアカーテンを設定していたが、これに限るものではなく、入場する際の改札通路２の遠方側（双方通行タイプの場合には出場する際の改札通路２の手前側でもある）にエアカーテンを設定することも可能であり、対応する支柱に吹き出し口を設けることができる。また、その場合には、入場する際の改札通路２の手前側の支柱に吸込み口を設けることができる。
【００５３】
また、以上の実施形態では、エアカーテンを設定する側の左右の支柱にそれぞれ吹き出し口を形成したが、これに限るものではなく、一方の支柱に吹き出し口、他方の支柱に吸込み口を設けて、該吸い込み口を支柱内のダクトを通して上部ユニット内の給気管に連結することも可能である。これによって、一方の支柱から他方の支柱への一方通行のエアの流れを生成することができる。
【００５４】
また、以上の実施形態では、吹き出し口１６ａ、１８ａからのエアカーテンと、吹き出し口２０ａ、２４ｂからのエアシャワーとは同じ送風機４０から圧送されていたが、これに限るものではなく、別の送風機からエアがそれぞれ供給されるようにしてもよい。
【００５５】
また、以上の実施形態では、パイプ２２と仕切板２０とによって横断面が閉鎖されたダクトが構成されていたが、これに限るものではなく、パイプ２２単独で横断面が閉鎖されたダクトを構成することも可能である。また、パイプ２２は可撓性を持たせて仕切板２０に沿って配設することも可能である。
【符号の説明】
【００５６】
１  自動改札
２  改札通路
３  自動改札機
１０  自動改札用エアシャワー装置
１２、１４、１６、１８  支柱
１２ａ、１４ａ  吸い込み口
１６ａ、１８ａ  吹き出し口
２０  仕切板
２０ａ  吹き出し口
２２  パイプ
２２ａ  フランジ
２４  上部ユニット
２４ｂ  吹き出し口
２４ｃ、２４ｄ、２４ｅ  凹部（受部）
３０  フィルタ
３４  レール材
４０  送風機
４３  給気管
４４  排気管
【図１】
2011008359.tif 000003
【図２】
2011008359.tif 000004
【図３】
2011008359.tif 000005
【図４】
2011008359.tif 000006
【図５】
2011008359.tif 000007
【図６】
2011008359.tif 000008
【図７】
2011008359.tif 000009